(57)【特許請求の範囲】
【請求項１】
裏側溝を有する蓋嵌合堤を設けたケース本体と、このケース本体の蓋嵌合堤の外側面に嵌合可能でありかつスプールのウェブに嵌合してスプールを保持するためのスプール嵌合隆が設けられている蓋ケースとからなる半導体ボンディングワイヤーのスプール収納ケースにおいて、
上記ケース本体に設けられた蓋嵌合堤は少なくとも親指を入れることのできる大きさの空間を有する広幅裏側溝を持った広幅蓋嵌合堤であり、上記広幅蓋嵌合堤の広幅裏側溝から中心部に向かって指で挟むだけでケース本体を構成する材質が弾性変形して広幅裏側溝からスプールのフランジを押えることができるようになっていることを特徴とする半導体ボンディングワイヤーのスプール収納ケース。
【請求項２】
裏側溝を有する蓋嵌合堤を設けたケース本体と、このケース本体の蓋嵌合堤の外側面に嵌合可能でありかつスプールのウェブに嵌合してスプールを保持するためのスプール嵌合隆が設けられている蓋ケースとからなる半導体ボンディングワイヤーのスプール収納ケースにおいて、
上記ケース本体に設けられた蓋嵌合堤の裏側溝は、通常の狭幅な裏側溝を有する蓋嵌合堤の一部に、少なくとも親指を入れることのできる大きさの空間を有する広幅裏側溝を有する広幅蓋嵌合堤が少なくとも２箇所設けられており、上記広幅蓋嵌合堤の広幅裏側溝から中心部に向かって指で挟むだけでケース本体を構成する材質が弾性変形して広幅裏側溝からスプールのフランジを押えることができるようになっていることを特徴とする半導体ボンディングワイヤーのスプール収納ケース。
【請求項３】
前記ケース本体の蓋嵌合堤の一部に、スプールに巻かれたボンディングワイヤーの端部止めテープを剥がすための開口部を設けたことを特徴とする請求項１または２記載の半導体ボンディングワイヤーのスプール収納ケース。
【請求項４】
前記ケース本体および蓋ケースは、透明材質薄板からなることを特徴とする請求項１、２または３記載の半導体ボンディングワイヤーのスプール収納ケース。
【発明の詳細な説明】
【０００１】
【産業上の利用分野】
この発明は、半導体ボンディングワイヤーを巻いたスプールを保管、輸送する時に使用するスプール収納ケースに関するものである。
【０００２】
【従来の技術】
一般に、半導体ボンディングワイヤーはスプールに巻かれており、この半導体ボンディングワイヤーを巻いたスプールはケースに収納して保管または輸送される。図５の断面図には半導体ボンディングワイヤー６を巻いたスプール２を収納した従来のスプール収納ケースＣ´が示されている。図５に示されるように、スプール収納ケースＣ´はケース本体Ａ´と蓋ケースＢ´で構成されており、ケース本体Ａ´にはスプール２のウェブに嵌合してスプール２を保持するためのスプール嵌合隆１ａが設けられており、また蓋ケースＢ´にはスプール２のウェブに嵌合してスプールを保持するためのスプール嵌合隆１ｂが設けられている。
【０００３】
前記ケース本体Ａ´のスプール嵌合隆１ａの外側には蓋嵌合堤３が設けられており、蓋ケースＢ´は蓋嵌合堤３に嵌合して蓋をするようになっている。この従来のケース本体Ａ´の蓋嵌合堤３の裏側に形成されている裏側溝４は、蓋ケースＢ´のスカート部Ｓを支持するだけであるから、幅：８ｍｍ以下、深さ：２０ｍｍ以下の狭い隙間からなる溝で構成されている。
半導体ボンディングワイヤー６を巻いたスプール２を従来のスプール収納ケースＣ´に収納するには、スプール２をケース本体Ａ´のスプール嵌合隆１ａに挿入して蓋嵌合堤３の内側に設置し、ついでその上から蓋ケースＢ´をスプール嵌合隆１ｂがスプール２に嵌合するようにかつ蓋ケースＢ´のスカート部Ｓの内面が蓋嵌合堤３の外側面に嵌合するようにして蓋をする。
【０００４】
このようにして収納されたスプール２をスプール収納ケースＣ´から取り出して半導体ボンディング装置のスプールホルダー（図示せず）に装着するには、まず、ケース本体Ａ´から蓋ケースＢ´を引き離したのち、スプール２を取り出して行なわれる。そのときスプール２を手で取り出すと、誤って手がスプール２に巻かれたボンディングワイヤー６に触れるなどしてボンディングワイヤー６を汚染するので好ましくない。これを解決するために、図５に示されるように、ケース本体Ａ´のスプール嵌合隆１ａに少なくとも親指が入る大きさの窪みを２個設け、この窪みに一方の手の指５を挿入し、スプール嵌合隆１ａの一部をつまむようにしてケース本体Ａ´を押えながら、他方の手で蓋ケースＢ´を引き離すことにより蓋をあけ、ケース本体Ａ´のスプール嵌合隆１ａに嵌合したままスプール２を指に直接触れることなく半導体ボンディング装置のスプールホルダーに装着する方法などが提案されている。
【０００５】
【発明が解決しようとする課題】
しかし、上記従来のスプール収納ケースＣ´は、成形後の熱変形などにより寸法精度が悪く、ケース本体Ａ´と蓋ケースＢ´とが簡単に嵌合しないことがあり、これを無理に力を入れて嵌合させると予想以上に強固に嵌合することがある。このように強固に嵌合したスプール収納ケースＣ´に収納されたスプール２をスプール収納ケースＣ´から取り出すには、ケース本体Ａ´から蓋ケースＢ´を力を入れて引き離すことにより行なわれるが、その際に予期せぬ力を必要とし、力を入れてケース本体Ａ´から蓋ケースＢ´を無理に引き離すと急激に引き離されるために、強固に把持されていないスプール２はショックでケース本体Ａ´から飛び出すことがあった。
また、従来のスプール収納ケースＣ´は、半導体ボンディング装置のスプールホルダーとスプールの嵌合が強固な場合、従来のスプール収納ケースＣ´のケース本体Ａ´を用いてスプールホルダーからスプールを取り出そうとしても強固につかむことができないので取り出すことができず、したがってスプールのフランジ２´を直接指でつかんで取り外さなければならないことがあった。
【０００６】
【課題を解決するための手段】
そこで、本発明者等は、かかる課題を解決すべく研究を行った。その結果、下記の知見を得たのである。
（イ）図１の断面図に示されるように、スプール収納ケースＣのスプール嵌合隆１ａを有するケース本体Ａに形成されている蓋嵌合堤の裏側溝に、少なくとも親指が入ることのできる大きさの幅と高さを有する大きさの空間を持った広幅裏側溝４１を有する広幅蓋嵌合堤３１を設けておくと、この広幅裏側溝４１に少なくとも２本の指を入れて広幅蓋嵌合堤３１の広幅裏側溝４１から中心に向かってスプール２のフランジ２´をつかむようにしてスプール２を押えた後、ケース本体Ａから蓋ケースＢを引き離すに際し、ケース本体Ａから蓋ケースＢがなかなか抜けない場合の反動で生じる急激な抜けがあっても、スプール２のフランジ２´は指５でしっかりと押えられているので、ケース本体Ａからスプール２が飛び出すことはなく、
また半導体ボンディング装置のスプールホルダーからスプールを取り外す際に、ケース本体Ａをスプール２に被せ、指でフランジ２´をケース本体Ａを介して間接的につかむことができるのでスプールに直接指が触れることなく取り外すことができると共に、半導体ボンディング装置のスプールホルダーとスプールの嵌合が強固な場合であっても、スプールのフランジ２´を直接指でつかんで取り外さなければならないような事態は発生しない。
（ロ）この場合、ケース本体Ａおよび蓋ケースＢを構成する材質は、厚さが０．２〜０．８ｍｍの範囲内にあるから、広幅蓋嵌合堤３１の広幅裏側溝４１から中心部に向かって指５で挟むだけでケース本体Ａを構成する材質は弾性変形し、広幅裏側溝４１から手に接触することなく簡単にスプール２のフランジ２´を押えることができる。
【０００７】
この発明は、かかる知見に基づいてなされたものであって、
（１）裏側溝を有する蓋嵌合堤を設けたケース本体Ａと、このケース本体Ａの蓋嵌合堤の外側面に嵌合可能でありかつスプールのウェブに嵌合してスプールを保持するためのスプール嵌合隆１ｂが設けられている蓋ケースＢからなる半導体ボンディングワイヤーのスプール収納ケースにおいて、
上記ケース本体Ａに設けられた蓋嵌合堤は、少なくとも親指を入れることのできる大きさの空間を有する広幅裏側溝４１を持った広幅蓋嵌合堤３１であり、上記広幅蓋嵌合堤３１の広幅裏側溝４１から中心部に向かって指５で挟むだけでケース本体Ａを構成する材質が弾性変形して広幅裏側溝４１からスプールのフランジ２´を押えることができるようになっている半導体ボンディングワイヤーのスプール収納ケース、に特徴を有するものである。
前記少なくとも親指を入れることのできる大きさの空間を有する広幅裏側溝４１は、少なくとも親指を入れてスプールのフランジをつかむことのできる幅と深さがあれば良く、したがってその幅は１０ｍｍ以上、深さが９ｍｍ以上あれば良いが、広幅裏側溝４１は大きくとるほど嵩張るだけであるから、その上限は幅が１５ｍｍ以下、深さが４５ｍｍ以下に抑えることが一層好ましい。
【０００８】
図２は、この発明の半導体ボンディングワイヤーのスプール収納ケースを構成する別のケース本体の斜視図であり、図３は図２のＸ−Ｘ断面図である。図２および図３に示されるように、ケース本体Ａに従来と同じ狭幅な裏側溝４をもった蓋嵌合堤３を形成し、この蓋嵌合堤３の一部に少なくとも２個の広幅蓋嵌合堤３１を形成し、この広幅蓋嵌合堤３１の裏側に少なくとも親指が入ることのできる大きさの空間を有する広幅裏側溝４１を形成すれば良い。
【０００９】
したがって、この発明は、
（２）裏側溝を有する蓋嵌合堤を設けたケース本体Ａと、このケース本体Ａの蓋嵌合堤の外側面に嵌合可能でありかつスプールのウェブに嵌合してスプールを保持するためのスプール嵌合隆１ｂが設けられている蓋ケースＢからなる半導体ボンディングワイヤーのスプール収納ケースにおいて、
上記ケース本体Ａに設けられた蓋嵌合堤の裏側溝は、通常の狭幅な裏側溝４を有する蓋嵌合堤３の一部に、少なくとも親指を入れることのできる大きさの空間を有する広幅裏側溝４１を有する広幅蓋嵌合堤３１が少なくとも２箇所設けられており、上記広幅蓋嵌合堤３１の広幅裏側溝４１から中心部に向かって指で挟むだけでケース本体を構成する材質が弾性変形して広幅裏側溝４１からスプールのフランジを押えることができるようになっている半導体ボンディングワイヤーのスプール収納ケース、に特徴を有するものである。
【００１０】
この発明の半導体ボンディングワイヤーのスプール収納ケースを構成するケース本体は、図２に示されるように、スプール嵌合隆を有しないものもであってもよい。かかる構造のケース本体Ａに対する蓋ケースＢは、図４の斜視図に示されるように、比較的深いスプール嵌合隆１ｂを設ければ良い。
【００１１】
図２および図３に示されるように、この発明の半導体ボンディングワイヤーのスプール収納ケースを構成するケース本体の蓋嵌合堤の一部にスプールに巻かれたボンディングワイヤーの端部止めテープを剥がすための開口部７を設けることが好ましい。
したがって、この発明は、
（３）前記ケース本体の蓋嵌合堤の一部に、スプールに巻かれたボンディングワイヤーの端部止めテープを剥がすための開口部を設けた前記（１）または（２）記載の半導体ボンディングワイヤーのスプール収納ケース、に特徴を有するものである。
【００１２】
この発明の半導体ボンディングワイヤーのスプール収納ケースを構成するケース本体および蓋ケースの材質は、ある程度の硬さをもち、ある程度の弾性を有し、しかも成形可能なものであればいかなる材質であっても良く、特に限定されるものではないが、透明性の優れた材質であることが一層好ましい。したがって、この発明は、
（４）前記ケース本体および蓋ケースは、透明材質薄板からなる前記（１）、（２）または（３）記載の半導体ボンディングワイヤーのスプール収納ケース、に特徴を有するものである。
【００１３】
【発明の実施の形態】
厚さ：０．５ｍｍの透明な熱可塑性プラスチック板を用い、図１に示される形状の少なくとも親指を入れることのできる幅：１３ｍｍ、深さ：２０ｍｍの大きさの空間を有する広幅裏側溝４１を有する広幅蓋嵌合堤３１を設けたケース本体Ａと、このケース本体Ａの広幅蓋嵌合堤３１の外側面に嵌合可能な蓋ケースＢからなる本発明スプール収納ケースを１００個作製した。
一方、図５に示される従来スプール収納ケースを１００個用意した。
【００１４】
これら本発明スプール収納ケースおよび従来スプール収納ケースにスプールを収納し、親指と中指を挿入し、ケース本体Ａから蓋ケースＢを勢い良く引き離したところ、本発明スプール収納ケースでは１個もスプールが飛び出すことがなかったが、従来スプール収納ケースでは６個のスプール飛出しが発生した。
また、半導体ボンディング装置のスプールホルダーに装着されているスプールにケース本体を被せ、直接指を触れることなくスプールの取り外しを行なったところ、本発明スプール収納ケースのケース本体を用いるとすべてのスプールを取り外すことができたが、従来スプール収納ケースのケース本体を用いると３４個のスプールが取り外しできなかった。
【００１５】
【発明の効果】
上述のように、この発明の半導体ボンディングワイヤーのスプール収納ケースは、寸法精度にばらつきがあっても、さらに寸法精度が不足していても、スプール取り出し時にスプールを飛び出させることはなく、従来、不良品とされていたものも使用可能となって製品の歩留りが向上し、また半導体ボンディング装置のスプールホルダーからスプールを取り出す場合もスプールに直接指を触れることなく取り外すことができるなど産業上すぐれた効果をもたらすものである。
【図面の簡単な説明】
【図１】  この発明の半導体ボンディングワイヤースプール収納ケースにスプールを収納した状態の断面図である。
【図２】  この発明の半導体ボンディングワイヤースプール収納ケースにおけるケース本体の斜視図である。
【図３】  図２のＸ−Ｘ断面図である。
【図４】  この発明の半導体ボンディングワイヤースプール収納ケースにおける蓋ケースの斜視図である。
【図５】  従来の半導体ボンディングワイヤースプール収納ケースにスプールを収納した状態の断面図である。
【符号の説明】
１ａ  スプール嵌合隆
１ｂ  スプール嵌合隆
２  スプール
２´  スプールのフランジ
３  蓋嵌合堤
３１  広幅蓋嵌合堤
４  裏側溝
４１  広幅裏側溝
５  指
６  ボンディングワイヤー
７  開口部
Ａ  ケース本体
Ｂ  蓋ケース
【図１】
0004124559.tif 000002
【図２】
0004124559.tif 000003
【図３】
0004124559.tif 000004
【図４】
0004124559.tif 000005
【図５】
0004124559.tif 000006